(57)【要約】【課題】定期預金申し込み取引後であっても必ず利用者にとって充分な口座残高を残すことができ、利用者にとって充分な口座残高があるときは必ず定期預金の申し込みが勧誘され、利用者は定期預金を申し込む機会を逸することがなく、利用者の操作負担を軽減し、取引時間が短くなる自動取引装置を提供する。【解決手段】利用者の操作により選択された取引を終了した後に口座残高を獲得する自動取引装置において、利用者が挿入した取引媒体から読取った利用者情報を事前登録情報サーバ６へ送信し、該利用者情報に基づいて事前登録情報データベース８から抽出した事前登録情報を事前登録情報サーバ６から受信し、該事前登録情報と利用者の口座残高から定期預金申し込み取引が可能な条件を満たしたときに該事前登録情報に基づいて定期預金申し込み取引を行なうことを特徴とする。【選択図】        図１
2006163467.tif 000002
【特許請求の範囲】
【請求項１】
利用者の操作により選択された取引を終了した後に該利用者の口座残高を獲得する自動取引装置において、
利用者が挿入した取引媒体から読取った利用者情報を事前登録情報サーバへ送信し、該利用者情報に基づいて事前登録情報データベースから抽出した事前登録情報を事前登録情報サーバから受信し、該事前登録情報と利用者の口座残高から定期預金申し込み取引が可能な条件を満たすと判定するときに該事前登録情報に基づいて定期預金申し込み取引を行なうことを特徴とする自動取引装置。
【請求項２】
請求項１の自動取引装置において、
前記事前登録情報を、預金後最低残高、預入金額および預入期間とし、
前記定期預金申し込み取引が可能な条件を、利用者の口座残高から預入金額を差し引いた金額が預金後最低残高を超えたとすることを特徴とする自動取引装置。
【請求項３】
請求項１の自動取引装置において、
前記事前登録情報を、預入金額、預入期間、給与振込日および給与振込日前日の残高とし、
前記定期預金申し込み取引が可能な条件を、給与振込日前日の残高が預入金額を超え、利用者の口座残高が預入金額を超えたとすることを特徴とする自動取引装置。
【請求項４】
請求項１の自動取引装置において、
前記事前登録情報を、外貨種別、為替レート、預入金額および預入期間とし、
前記定期預金申し込み取引が可能な条件を、現在の為替レートが該為替レート以下であって、利用者の口座残高が預入金額を超えたとすることを特徴とする自動取引装置。
【請求項５】
請求項１の自動取引装置において、
前記事前登録情報を、複数の預金後最低残高、預入金額および預入期間とし、
前記定期預金申し込み取引が可能な条件を、それぞれの預金後最低残高および預入金額について利用者の口座残高から預入金額を差し引いた金額が預金後最低残高を超えたとし、
可能と判断した事前登録情報の中から利用者が選択して定期預金申し込み取引を行なうことを特徴とする自動取引装置。
【請求項６】
請求項１から請求項４または請求項５の自動取引装置において、
前記事前登録情報は、利用者が利用者操作表示部から入力した情報であることを特徴とする自動取引装置。
【発明の詳細な説明】
【技術分野】
【０００１】
本発明は、自動取引装置に関し、特に、利用者の口座残高が所定の条件を満たすときに登録した情報に基づいて取引を行なう自動取引装置に関する。
【背景技術】
【０００２】
自動取引装置は、利用者の操作により普通預金口座への入金や普通預金口座からの出金等の取引ばかりでなく、定期預金の申し込みや外貨預金の申し込み等も取り扱えるようになってきている。
近年、自動取引装置はこのように多機能化するなかで利用者が自動取引装置を使用したときの取引口座の残高が所定の残高を超えているかによって定期預金の申し込みの可否を判断し、可能であると判断した場合に定期預金の商品案内を表示し、利用者の操作により必要な情報を入力して定期預金の申し込みを行なうものがある（例えば、特許文献１参照）。
【０００３】
また、所定期間ごとに推移する利用者の普通預金口座の残高を表示して利用者に定期預金等の新たな取引を勧誘しているものもある（例えば、特許文献２参照）。
さらに、自動取引装置で以前の取引で入力操作した定期預金の申し込みと同じ定期預金の申し込みをする場合、以前の取引で操作した入力情報をそのまま利用できるものがある（例えば、特許文献３参照）。
【特許文献１】特開平５−２３３６７０号公報（段落「０００９」〜段落「００１７」、図２）
【特許文献２】特開平８−２４９４０１号公報（段落「００１９」〜段落「００３１」、図２）
【特許文献３】特開平８−８７５５４号公報（段落「００１２」〜段落「００２６」、図２）
【発明の開示】
【発明が解決しようとする課題】
【０００４】
しかしながら、上述した従来の技術においては、利用者の定期預金の申し込みが可能か否かの判断は、利用者の口座残高が予め決定した金額を超えていることや利用者の口座残高が常に一定金額以上あること等の条件で行なうため、必ずしも利用者が希望する口座残高でないときに定期預金の申し込みを勧誘される場合がある。したがって、利用者は定期預金の申し込みを勧誘されてもその都度、定期預金を申し込むことができる口座残高があることや充分な口座残高を残すことができることを考慮しつつ定期預金を申し込むか否かの判断をしなければならないという問題がある。
【０００５】
また、利用者にとって定期預金を申し込むのに充分な口座残高があると判断するにもかかわらず定期預金の申し込みを勧誘されず申し込みの機会を逸してしまうという問題もある。
さらに、自動取引装置で以前に取引した定期預金の申し込みと異なる条件で定期預金の申し込みを希望する場合、利用者は新たな定期預金を申し込むときと同様に預入れ金額、預入れ期間等を入力する操作を行なわなければならず手間がかかり、また、取引に時間がかかるという問題がある。
【０００６】
本発明は、このような問題を解決することを課題とする。
【課題を解決するための手段】
【０００７】
そのため、本発明は、利用者の操作により選択された取引を終了した後に該利用者の口座残高を獲得する自動取引装置において、利用者が挿入した取引媒体から読取った利用者情報を事前登録情報サーバへ送信し、該利用者情報に基づいて事前登録情報データベースから抽出した事前登録情報を事前登録情報サーバから受信し、該事前登録情報と利用者の口座残高から定期預金申し込み取引が可能な条件を満たすと判定するときに該事前登録情報に基づいて定期預金申し込み取引を行なうことを特徴とする。
【発明の効果】
【０００８】
このようにした本発明は、利用者が希望する預入後最低残高を登録しておくことにより、定期預金申し込み取引後であっても必ず利用者にとって充分な口座残高を残すことができるという効果が得られる。
また、利用者にとって充分な口座残高があるときは必ず定期預金の申し込みが勧誘され、利用者は定期預金を申し込む機会を逸することがないという効果が得られる。
【０００９】
さらに、予め利用者が希望する預入期間および預入金額を登録しておくことにより、利用者の自動取引装置を操作する負担が軽減され、取引時間が短くなるという効果が得られる。
【発明を実施するための最良の形態】
【００１０】
以下、図面を参照して本発明による自動取引装置の実施例を説明する。
【実施例】
【００１１】
図１は第１の実施例を示すシステム構成のブロック図、図２は第１の実施例を示す自動取引装置のブロック図、図３は第１の実施例を示す事前登録情報データベースの説明図、図４は第１の実施例を示すフローチャート、図５は第１の実施例を示す自動取引装置から事前登録情報サーバへ送信される通信情報の説明図、図６は第１の実施例を示す事前登録情報サーバから自動取引装置へおよび自動取引装置からホストコンピュータへ送信される通信情報の説明図、図７は第１の実施例を示すホストコンピュータから自動取引装置へ送信される通信情報の説明図、図８は第１の実施例を示す初期画面の説明図、図９は第１の実施例を示す定期預金お申し込み確認画面の説明図、図１０は第１の実施例を示す定期預金お申し込み登録画面の説明図、図１１は第１の実施例を示す定期預金お申し込み登録画面の説明図、図１２は第１の実施例を示す定期預金お申し込み登録内容変更画面の説明図、図１３は第１の実施例を示す定期預金お申し込み登録内容変更画面の説明図である。
【００１２】
図１において、１は自動取引装置であり、銀行等の金融機関またはコンビニエンスストア等に設置されるものである。この自動取引装置１は利用者の操作により現金の入出金取引および定期預金の申し込み等ができるものである。また、ネットワーク２に通信可能に接続されている。
３はホストコンピュータであり、銀行等の金融機関の事務センタ等に設置される。このホストコンピュータ３は自動取引装置１との間で入金、出金、定期預金の申し込み等の取引電文の送受信を行い利用者の取引を成立させるか否かを判断する。また、利用者の口座番号と利用者の暗証番号等で本人であるか否かの本人認証も行なう。なお、ホストコンピュータ３はネットワーク２を介して自動取引装置１と相互に通信可能に接続されている。
【００１３】
４は預金可否判定部であり、利用者の口座残高等により定期預金を申し込むことが可能か否かを判断する手段である。
５は勘定マスタデータベースであり、利用者の口座番号、パスワードおよび口座残高等の口座に関する情報、外貨の為替レートおよび各種金融商品の金利等の情報が格納されているものである。預金可否判定部４はこれらの情報および自動取引装置１から受信した情報から利用者が定期預金を申し込むことが可能か判断する。なお、預金可否判定部４および勘定マスタデータベース５はホストコンピュータ３に備えられている。
【００１４】
６は事前登録情報サーバであり、銀行等の金融機関の事務センタ等に設置されるものである。この事前登録情報サーバ６はネットワーク２を介してホストコンピュータ３および自動取引装置１と相互に通信可能に接続されている。
７は事前登録情報管理部であり、記憶部に備えたデータベースをある情報に基づいて検索および抽出することができ、その抽出した情報を自動取引装置１に送信することができる。また、自動取引装置１およびホストコンピュータ３から受信した情報をデータベースに記憶させることができる。
【００１５】
なお、事前登録情報サーバ６はＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段、磁気ディスク、半導体メモリ等の記憶手段、キーボード、マウス等の入力手段、ＣＲＴ（Ｃａｔｈｏｄｅ  Ｒａｙ  Ｔｕｂｅ）、液晶ディスプレイ等の表示手段および通信手段等を備えるものである。また、カレンダー機能および時計機能等も備えるものである。
【００１６】
８は事前登録情報データベースであり、事前登録情報サーバ６の記憶部に備えられている。この事前登録情報データベース８は利用者ごとに利用者情報や事前登録情報等を格納するものであるが詳細は後述する。なお、事前登録情報管理部７および事前登録情報データベース８は事前登録情報サーバ６に備えられている。
図２において、自動取引装置１は利用者操作表示部２１、カードリーダプリンタ部２２、入出金部２３、通帳部２４および制御部２５を備えている。
【００１７】
利用者操作表示部２１は、ＣＲＴディスプレイや液晶ディスプレイ等の表示部上にタッチパネルを配置し利用者が入力操作等を行なうものであり、また、取引選択画面、利用者が選択した取引に対して利用者の入力操作等の誘導を行なう画面および入力された情報等を表示するものである。
カードリーダプリンタ部２２は、利用者がカード挿入口から挿入したカードの磁気ストライプまたはＩＣチップ等から口座番号等の利用者情報を読取り、また、利用者がした取引の内容を明細票に印刷するものである。口座番号等を読取ったカードはカード排出口から排出して利用者に返却し、また、取引内容を印刷した明細票は明細票排出口から排出して利用者に渡す。
【００１８】
入出金部２３は、紙幣入出金機および硬貨入出金機で構成され、取引に伴う紙幣や硬貨の入出金処理を行なうものである。ここで、入金処理とは利用者が紙幣入出金口に入れた紙幣を紙幣入出金機で計数して金庫に収納し、硬貨入出金口に入れた硬貨を硬貨入出金機で計数して金庫に収納することである。また、出金処理とは利用者の操作により指定した金額に相当する紙幣および硬貨をそれぞれ紙幣入出金機および硬貨入出金機の金庫から繰り出して計数し紙幣入出金口および硬貨入出金口に搬送して利用者に払い出すことである。
【００１９】
通帳部２４は、利用者が挿入した通帳の磁気ストライプから口座番号等の利用者情報を読み取り、また、通帳に取引内容等を印刷するものである。口座番号等を読取り、また、取引内容等を印刷した通帳は通帳排出口から排出して利用者に返却する。
２５は制御部であり、記憶部２５１、情報送受信部２５２、事前登録情報処理部２５３等で構成されている。この制御部２５は利用者操作表示部２１、カードリーダプリンタ部２２、入出金部２３および通帳部２４を含めて自動取引装置１全体の動作を記憶部２５１に格納されたソフトウェアに基づいて制御する。
【００２０】
記憶部２５１は、半導体メモリや磁気ディスク等で構成され情報を格納して記憶し、また、記憶した情報を読取ることができるものである。
情報送受信部２５２はネットワーク２を介して接続されたホストコンピュータ３および事前登録情報サーバ６と相互にする通信を制御する手段であって、任意の情報を送信および受信することができる。
【００２１】
事前登録情報入力処理部２５３は利用者が事前登録情報を入力するための誘導画面等を利用者操作表示部２１に表示し、また、利用者操作表示部２１で利用者の操作により行なう入力を制御する手段である。
図３において、事前登録情報データベース８のレコードは利用者情報３１、事前登録情報３５で構成され、さらに、利用者情報３１は金融機関コード３２、支店コード３３および口座番号３４で構成され、事前登録情報３５は預金後最低残高３６、預入金額３７および預入期間３８で構成されている。この事前登録情報３５は利用者が希望する定期預金の条件を予め登録しておく情報である。
【００２２】
金融機関コード３２は各金融機関に割り当てられた識別情報である。支店コード３３は金融機関が割り当てた各支店等を識別する識別情報である。口座番号３４は利用者が有する口座を識別する番号である。この金融機関コード３２、支店コード３３および口座番号３４は利用者が所持するカードおよび通帳等の磁気ストライプ等に記録されている。
預金後最低残高３６は利用者が定期預金の申し込みをした後に自己の口座に残しておきたい最低の残高を事前に登録しておく情報である。預入金額３７は利用者が事前に登録した定期預金の申し込みをするときに定期預金に預け入れる金額である。また、預入期間３８は利用者が事前に登録した定期預金の申し込みをするときに定期預金に預け入れる期間である。なお、利用者が事前登録情報３５をまだ設定していないときは預金後最低残高３６、預入金額３７および預入期間３８をすべて「０」にすることなどで、設定済みか未設定の識別をすることができる。
【００２３】
上述した構成の作用について図４の第１の実施例を示すフローチャートのＳで表すステップにしたがって説明する。なお、以下に説明する各部の動作は、図示しない記憶部に格納されたプログラム（ソフトウェア）に基づいて図示しない制御部により制御される。
まず、事前登録情報データベース８に格納された利用者情報３１および事前登録情報３５は利用者の申請により金融機関等のオペレータが図示しない端末を操作して、または、利用者自身が自動取引装置１を操作して予め設定しておく。なお、利用者自身が自動取引装置１を操作して設定する方法の詳細は後述する。
【００２４】
Ｓ４０１：自動取引装置１は図示しないセンサにより利用者が接近したことを検知する。自動取引装置１は利用者が接近したことを検知すると図８に示す初期画面を利用者操作表示部２１に表示する。この初期画面８０には利用者が行なう取引を選択するためのお支払いキー８１、残高照会キー８２、通帳記入キー８３、お預入れキー８４、定期預金お申し込みキー８５等があり、利用者は希望するキーを押下することで取引を開始することができる。
【００２５】
Ｓ４０２：利用者が希望する取引を示すキーを押下すると自動取引装置１は利用者にカードまたは通帳等の取引媒体の挿入を促す画面を表示し、カードリーダプリンタ部２２はカード、通帳部２４は通帳の挿入を待つ。
Ｓ４０３：利用者がカードを挿入した場合はカードリーダプリンタ部２２でカードの磁気ストライプ等に記録された利用者の利用者情報である金融機関コード、支店コード、口座番号等を読取り、また、利用者が通帳を挿入した場合は通帳部２４で通帳の磁気ストライプに記録された利用者の利用者情報である金融機関コード、支店コード、口座番号等を読取る。
【００２６】
ここで利用者の暗証番号等の入力を利用者操作表示部２１で行い、その暗証番号等をホストコンピュータ３へ送信し、本人確認をホストコンピュータ３で行ない利用者が本人であることが確認できた場合、自動取引装置１は利用者が選択した取引の処理をすすめる。なお、選択された取引は通常の出金や入金等の取引であるためその詳細な説明を省略する。
【００２７】
Ｓ４０４：利用者が選択した取引を自動取引装置１が行なう取引処理と並行して、自動取引装置１の情報送受信部２５２は読取った利用者の利用者情報を含む図５に示す自動取引装置から事前登録情報サーバへ送信される通信情報を事前登録情報サーバ６へ送信する。
ここで、図５において、５１はヘッダであり、通信情報の先頭を示す開始符号である。５２は取引種別であり、利用者が選択した取引を示す。５３は取引金額であり、利用者が選択した取引で指定した金額である。５４は金融機関コード、５５は支店コード、５６は口座番号であり、顧客が自動取引装置１に挿入した取引媒体から読取った金融機関コード、支店コード、口座番号である。５７はフッタであり、通信情報の末尾を示す終符号である。
【００２８】
Ｓ４０５：事前登録情報サーバ６の事前登録情報管理部７は受信した金融機関コード５４、支店コード５５および口座番号５６に基づいて事前登録情報データベース８を検索し、該当する事前登録情報３５を抽出する。
Ｓ４０６：事前登録情報サーバ６は抽出した事前登録情報３５を含む図６に示す事前登録情報サーバから自動取引装置へ送信される通信情報を自動取引装置１へ送信する。
【００２９】
ここで、図６において、６１は預金後最低残高であり事前登録情報データベース８から抽出した預金後最低残高３６である。６２は預入金額であり、事前登録情報データベース８から抽出した預入金額３７である。６３は預入期間であり、事前登録情報データベース８から抽出した預入期間３８である。
Ｓ４０７：自動取引装置１の情報送受信部２５２は受信した利用者情報３１および事前登録情報３５を含む図６に示す自動取引装置からホストコンピュータへ送信される通信情報をホストコンピュータ３へ送信する。
【００３０】
Ｓ４０８：ホストコンピュータ３の預金可否判定部４は受信した利用者情報３１ならびに事前登録情報３５、および利用者情報３１に基づいて勘定マスタデータベース５を検索して抽出した該利用者の口座残高から利用者が登録した定期預金を申し込む条件に適合しているか否かを判定する。具体的には、該利用者の口座残高から預入金額６２を差し引いた金額が預入後最低残高６１以上になるかを判定する。この差し引いた金額が、預入後最低残高６１以上になる場合は定期預金が可能と判定し、預入後最低残高６１より少なくなる場合は定期預金が不可能と判定する。なお、利用者が事前に預入後最低残高、預入期間および預入金額を設定していない場合は定期預金が不可能と判定する。
【００３１】
Ｓ４０９：ホストコンピュータ３はこの判定結果を含む図７に示すホストコンピュータから自動取引装置へ送信される通信情報を自動取引装置１へ送信する。ここで、図７において、７１は判定結果であり、Ｓ４０８で判定した結果である「可能」または「不可能」の情報である。
Ｓ４１０：自動取引装置１は受信した判定結果７１により利用者の口座残高が定期預金を申し込む条件に適合したか否かを知ることができる。
【００３２】
なお、本実施例ではホストコンピュータ３の預金可否判定部４で受信した利用者情報３１、事前登録情報３５および利用者情報３１に基づいて勘定マスタデータベース５を検索して抽出した該利用者の口座残高から利用者が定期預金を申し込む条件に適合しているか否かを判定するようにしたが、自動取引装置１の情報送受信部２５２がホストコンピュータ３から該利用者の口座残高を受信して、制御部２５が定期預金を申し込む条件に適合しているか否かを判定するようしてもよい。
【００３３】
Ｓ４１１：利用者の口座残高が定期預金を申し込む条件に適合した場合、自動取引装置１は利用者が選択した取引が終了すると図９に示す定期預金お申し込み確認画面９０を利用者操作表示盤２１に表示する。ここで、図９において、９１は預入期間表示領域であり、利用者が予め設定した希望の定期預金の預入期間である預入期間６３を表示する。また、９２は預入金額表示領域であり、利用者が予め設定した希望の定期預金の預入金額である預入金額６２を表示する。
【００３４】
Ｓ４１２：利用者は定期預金お申し込み確認画面９０に表示された預入期間と預入金額を確認し定期預金の申し込みをする場合は確認ボタン９３を押下する。利用者が確認ボタン９３を押下すると自動取引装置１はホストコンピュータ３と交信し定期預金の申し込み取引を行なう。利用者が取消ボタン９４を押下すると自動取引装置１は定期預金の申し込み取引は行なわない。
【００３５】
Ｓ４１３：自動取引装置１はホストコンピュータ３と交信し定期預金の申し込み取引を終了すると利用者が挿入した取引媒体を返却してすべての取引を終了する。また、Ｓ４１０で利用者の口座残高が定期預金を申し込む条件に適合しない場合、または、Ｓ４１２で利用者が取消ボタン９４を押下した場合も自動取引装置１は利用者が挿入した取引媒体を返却してすべての取引を終了する。
【００３６】
ここで、利用者が自動取引装置１を操作して希望する定期預金の預金後最低残高、預入金額および預入期間を事前登録情報データベース８に登録する方法を説明する。
利用者が利用者操作表示盤２１に表示した初期画面８０で定期預金お申し込みキー８５を押下すると自動取引装置１は定期預金お申し込み取引を開始する。利用者は預入期間および預入金額を利用者操作表示盤２１から入力し通常の定期預金お申し込み取引を行なう。この通常の定期預金お申し込み取引を行なった後に自動取引装置１の事前登録情報入力処理部２５３は利用者操作表示部２１に図１０に示す定期預金お申し込み登録画面１００を表示する。
【００３７】
図１０において、１０１は預入期間表示領域であり、利用者が通常の定期預金お申し込み取引で入力した預入期間を表示する。１０２は預入金額表示領域であり、利用者が通常の定期預金お申し込み取引で入力した預入金額を表示する。この預入期間表示領域１０１に表示した預入期間および預入金額表示領域１０２に表示した預入金額をそのまま事前登録情報データベース８に登録する場合、利用者は「登録する」ボタン１０３を押下する。この「登録する」ボタン１０３が押下されると自動取引装置１の記憶部２５１に表示した預入期間および預入金額を記憶する。
【００３８】
なお、利用者が「登録する」ボタン１０３を押下しないで「登録しない」ボタン１０４を押下した場合は、自動取引装置１は記憶部２５１に表示した預入期間および預入金額を記憶しないで通常の定期預金お申し込み取引を終了する。
次に、利用者が「登録する」ボタン１０３を押下した後に自動取引装置１の事前登録情報入力処理部２５３は利用者操作表示部２１に図１１に示す定期預金お申し込み登録画面１１０を表示する。この定期預金お申し込み登録画面１１０では、利用者が定期預金の申し込み取引を行なった後の口座に残す最低の残高である預入後最低残高を登録するか登録しないかを選択することができる。登録する場合は「登録する」ボタン１１１、登録しない場合は「登録しない」ボタン１１２を利用者が押下する。利用者がこの「登録する」ボタン１１１を押下すると自動取引装置１の事前登録情報入力処理部２５３は利用者操作表示部２１に図１２に示す定期預金お申し込み登録画面１２０を表示する。
【００３９】
図１２において、１２１は預入後最低残高表示領域であり、利用者が入力した預入後最低残高を表示する領域である。１２２は数字ボタンであり、利用者が預入後最低残高等を入力するときに使用するものである。また、１２３は確認ボタン、１２４は訂正ボタン、１２５は取消ボタンである。利用者が数字ボタン１２２で預入後最低残高を入力するとその入力した金額を預入後最低残高表示領域１２１に表示し、その入力した内容を確認して登録する場合は確認ボタン１２３を押下する。
【００４０】
利用者が確認ボタン１２３を押下すると自動取引装置１の情報送受信部２５２は入力した預入後最低残高、預入期間および預入金額を事前登録情報データベース８に登録する指令の電文を事前登録情報サーバ６へ送信する。この指令の電文を受信した事前登録情報サーバ６は事前登録情報管理部７により事前登録情報データベース８に金融機関コード３２、支店コード３３および口座番号３４の利用者情報３１とともに預入後最低残高３６、預入金額３７および預入期間３８を登録する。
【００４１】
なお、利用者は入力した預入後最低残高を訂正する場合は訂正ボタン１２４を押下する。また、定期預金の申し込みの登録を中止する場合は取消ボタン１２５を押下する。
次に、利用者が以前に行なった通常の定期預金お申し込み取引で入力して登録した預入期間および預入金額と異なる預入期間および預入金額を登録する場合を説明する。
図１０に示す定期預金お申し込み登録画面１００において、利用者がお申し込み内容を訂正するボタン１０５を押下した場合、自動取引装置１の事前登録情報入力処理部２５３は利用者操作表示部２１に図１３に示す定期預金お申し込み登録画面１３０を表示する。
【００４２】
図１３において、１３１は預入期間表示領域であり、利用者が通常の定期預金お申し込み取引で入力した預入期間を表示する。１３２は預入金額表示領域であり、利用者が通常の定期預金お申し込み取引で入力した預入金額を表示する。１３３は数字ボタンであり、利用者が預入期間および預入金額等を入力するときに使用するものである。また、１３４は確認ボタン、１３５は訂正ボタン、１３６は取消ボタンである。
【００４３】
利用者が数字ボタン１３３で預入期間および預入金額を入力するとその入力した期間ならびに金額を預入期間表示領域１３１および預入金額表示領域１３２に表示し、その入力した内容を確認して正しい場合は確認ボタン１３４を押下する。利用者が確認ボタン１３４を押下すると自動取引装置１の事前登録情報入力処理部２５３は利用者操作表示部２１に図１０に示す定期預金お申し込み登録画面１００を表示する。その後、利用者は上述した定期預金申し込みを登録する操作を継続する。
【００４４】
なお、利用者は入力した預入期間および預入金額を訂正する場合は訂正ボタン１３５を押下する。また、定期預金の申し込みの登録を中止する場合は取消ボタン１３６を押下する。
以上の操作を利用者が行なうことで利用者が希望する定期預金の預入金額３７、預入期間３８および預入後最低残高３６を事前登録情報データベース８に登録することができる。
【００４５】
以上説明したように、第１の実施例では、利用者が希望する預入後最低残高を登録しておくことにより、定期預金を申し込んだ後は必ず利用者にとって充分な口座残高を残すことができるという効果が得られる。
また、利用者にとって充分な口座残高があるときは必ず定期預金の申し込みが勧誘され、利用者は定期預金を申し込む機会を逸することがないという効果が得られる。
【００４６】
さらに、予め利用者が希望する預入期間および預入金額を登録しておくことにより、利用者の自動取引装置を操作する負担が軽減され、取引時間が短くなるという効果が得られる。
図１４は本発明の第２の実施例を示す事前登録情報データベースの説明図である。なお、上述した第１の実施例と同様の部分は、同一の符号を付してその説明を省略する。
【００４７】
図１４において、事前登録情報データベース８のレコードは利用者情報３１、事前登録情報３５で構成され、さらに、利用者情報３１は金融機関コード３２、支店コード３３および口座番号３４で構成され、事前登録情報３５は預入金額３７、預入期間３８、給与振込日１４１および給与振込日前日の残高１４２で構成されている。
給与振込日１４１は利用者が予め設定しておく毎月の給与の振込日である。給与振込日前日の残高１４２は給与振込日１４１の前日にホストコンピュータ３から取得した利用者の口座残高である。
【００４８】
上述した構成の作用について説明する。なお、以下に説明する各部の動作は、図示しない記憶部に格納されたプログラム（ソフトウェア）に基づいて図示しない制御部により制御される。
まず、事前登録情報データベース８に格納された利用者情報３１および事前登録情報３５は利用者の申請により金融機関等のオペレータが図示しない端末を操作して、または、利用者自身が自動取引装置１を操作して予め設定しておく。なお、利用者自身が自動取引装置１を操作して設定する方法の詳細は後述する。
【００４９】
自動取引装置１は図示しないセンサにより利用者が接近したことを検知する。自動取引装置１は利用者が接近したことを検知すると図８に示す初期画面を利用者操作表示部２１に表示する。この初期画面８０には利用者が行なう取引を選択するためのお支払いキー８１、残高照会キー８２、通帳記入キー８３、お預入れキー８４、定期預金お申し込みキー８５等があり、利用者は希望するキーを押下することで取引を開始することができる。利用者は希望する取引を示すキーを押下する。
【００５０】
利用者が希望する取引を示すキーを押下すると自動取引装置１は利用者にカードまたは通帳等の取引媒体の挿入を促す画面を表示し、カードリーダプリンタ部２２はカード、通帳部２４は通帳の挿入を待つ。
利用者がカードを挿入した場合はカードリーダプリンタ部２２でカードの磁気ストライプ等に記録された利用者の利用者情報である金融機関コード、支店コード、口座番号等を読取り、また、利用者が通帳を挿入した場合は通帳部２４で通帳の磁気ストライプに記録された利用者の利用者情報である金融機関コード、支店コード、口座番号等を読取る。
【００５１】
ここで利用者の暗証番号等の入力を利用者操作表示部２１で行い、その暗証番号等をホストコンピュータ３へ送信し、本人確認をホストコンピュータ３で行ない利用者が本人であることが確認できた場合、自動取引装置１は利用者が選択した取引の処理をすすめる。なお、選択された取引は通常の出金や入金等の取引であるためその詳細な説明を省略する。
【００５２】
利用者が選択した取引を自動取引装置１が行なう取引処理と並行して、自動取引装置１の情報送受信部２５２は読取った利用者の利用者情報を含む図５に示す自動取引装置から事前登録情報サーバへ送信される通信情報を事前登録情報サーバ６へ送信する。
事前登録情報サーバ６の事前登録情報管理部７は受信した金融機関コード５４、支店コード５５および口座番号５６に基づいて事前登録情報データベース８を検索し、該当する事前登録情報３５を抽出する。
【００５３】
事前登録情報サーバ６は抽出した事前登録情報３５を含む図１６に示す事前登録情報サーバから自動取引装置へ送信される通信情報を自動取引装置１へ送信する。
ここで、図１６において、１６１は給与振込日であり事前登録情報データベース８から抽出した給与振込日１４１である。１６２は給与振込日前日の残高であり、事前登録情報データベース８から抽出した給与振込日前日の残高１４２である。
【００５４】
自動取引装置１の情報送受信部２５２は受信した利用者情報３１および事前登録情報３５を含む図１６に示す自動取引装置からホストコンピュータへ送信される通信情報をホストコンピュータ３へ送信する。
ホストコンピュータ３の預金可否判定部４は受信した利用者情報３１ならびに事前登録情報３５、および利用者情報３１に基づいて勘定マスタデータベース５を検索して抽出した該利用者の現在の口座残高（以下、単に「口座残高」という。）から利用者が定期預金を申し込む条件に適合しているか否かを判定する。具体的には、該利用者の給与振込日前日の残高１６２が預入金額６２以上であり、かつ、該利用者の口座残高が預入金額６２以上になるかを判定する。該利用者の給与振込日前日の残高１６２が預入金額６２以上であり、かつ、該利用者の口座残高が預入金額６２以上である場合は定期預金が可能と判定し、それ以外の場合は定期預金が不可能と判定する。なお、利用者が事前に預入期間、預入金額および給与振込日を設定していない場合は定期預金が不可能と判定する。
【００５５】
ホストコンピュータ３はこの判定結果を含む図１７に示すホストコンピュータから自動取引装置へ送信される通信情報を自動取引装置１へ送信する。ここで、図１７において、１７１は判定結果であり、上述した判定の結果である「可能」または「不可能」の情報である。自動取引装置１は受信した判定結果１７１により定期預金を申し込む条件に適合したか否かを知ることができる。
【００５６】
なお、本実施例ではホストコンピュータ３の預金可否判定部４で受信した利用者情報３１、事前登録情報３５および利用者情報３１に基づいて勘定マスタデータベース５を検索して抽出した該利用者の口座残高から利用者が定期預金を申し込む条件に適合しているか否かを判定するようにしたが、自動取引装置１の情報送受信部２５２がホストコンピュータ３から該利用者の口座残高を受信して、制御部２５が定期預金を申し込む条件に適合しているか否かを判定するようしてもよい。
【００５７】
利用者の給与振込日前日の口座残高および口座残高が定期預金を申し込む条件に適合した場合、自動取引装置１は利用者が選択した取引が終了すると図９に示す定期預金お申し込み確認画面９０を利用者操作表示盤２１に表示する。ここで、図９において、９１は預入期間表示領域であり、利用者が予め設定した希望の定期預金の預入期間である預入期間６３を表示する。また、９２は預入金額表示領域であり、利用者が予め設定した希望の定期預金の預入金額である預入金額６２を表示する。
【００５８】
利用者は定期預金お申し込み確認画面９０に表示された預入期間と預入金額を確認し定期預金の申し込みをする場合は確認ボタン９３を押下する。利用者が確認ボタン９３を押下すると自動取引装置１はホストコンピュータ３と交信し定期預金の申し込み取引を行なう。
この後、自動取引装置１は利用者操作表示部２１に図１８に示す定期預金お申し込み受付画面１８０を表示する。この定期預金お申し込み受付画面１８０で定期預金の申し込みを受け付けた旨を表示し、また、次回の給与振込日までは定期預金の申し込みを表示するかしないかの選択を行なう。利用者が「はい」ボタン１８１を押下すると次回の給与振込日までは定期預金の申し込みを表示しなくなる設定とし、「いいえ」ボタン１８２を押下すると定期預金の申し込みを表示する設定となる。
【００５９】
利用者が「はい」ボタン１８１を押下した場合、自動取引装置１の事前登録情報入力処理部２５３は事前登録情報データベース８の給与振込日前日の残高１４２を例えば「０」とすることにより定期預金の申し込みを表示しない設定とする。
なお、定期預金お申し込み確認画面９０において利用者が取消ボタン９４を押下すると自動取引装置１は定期預金の申し込み取引は行なわない。
【００６０】
自動取引装置１はホストコンピュータ３と交信し定期預金の申し込み取引を終了すると利用者が挿入した取引媒体を返却してすべての取引を終了する。また、利用者の口座残高が定期預金を申し込む条件に適合しない場合、または、利用者が取消ボタン９４を押下した場合も自動取引装置１は利用者が挿入した取引媒体を返却してすべての取引を終了する。
【００６１】
ここで、利用者が自動取引装置１を操作して希望する定期預金の預入金額、預入期間ならびに給与振込日を事前登録情報データベース８に登録する方法および事前登録情報データベース８の給与振込日前日の残高１４２を登録する方法を説明する。
まず、利用者が希望する定期預金の預入金額、預入期間および給与振込日を事前登録情報データベース８に登録する方法を説明する。
【００６２】
利用者が利用者操作表示盤２１に表示した初期画面８０で定期預金お申し込みキー８５を押下すると自動取引装置１は定期預金お申し込み取引を開始する。利用者は預入期間および預入金額を利用者操作表示盤２１から入力し通常の定期預金お申し込み取引を行なう。この通常の定期預金お申し込み取引を行なった後に自動取引装置１の事前登録情報入力処理部２５３は利用者操作表示部２１に図１０に示す定期預金お申し込み登録画面１００を表示する。
【００６３】
定期預金お申し込み登録画面１００において、預入期間表示領域１０１に表示した預入期間および預入金額表示領域１０２に表示した預入金額を事前登録情報データベース８に登録する場合、利用者は「登録する」ボタン１０３を押下する。この「登録する」ボタン１０３が押下されると自動取引装置１の記憶部２５１に表示した預入期間および預入金額を記憶する。
【００６４】
なお、利用者が「登録する」ボタン１０３を押下しないで「登録しない」ボタン１０４を押下した場合は、自動取引装置１は記憶部２５１に表示した預入期間および預入金額を記憶しないで通常の定期預金お申し込み取引を終了する。
利用者が「登録する」ボタン１０３を押下した後に自動取引装置１の事前登録情報入力処理部２５３は利用者操作表示部２１に図１９に示す定期預金お申し込み登録画面１９０を表示する。この定期預金お申し込み登録画面１９０では、毎月の一定収入等である給与の振込日を利用者は登録するか登録しないかを選択することができる。登録する場合は「登録する」ボタン１９１、登録しない場合は「登録しない」ボタン１９２を利用者が押下する。利用者がこの「登録する」ボタン１９１を押下すると自動取引装置１の事前登録情報入力処理部２５３は利用者操作表示部２１に図２０に示す定期預金お申し込み登録画面２００を表示する。
【００６５】
図２０において、２０１は給与振込日表示領域であり、利用者が入力した給与振込日を表示する領域である。利用者が数字ボタン１３３で給与振込日を入力するとその入力した日を給与振込日表示領域２０１に表示し、その入力した内容を確認して登録する場合は確認ボタン１３４を押下する。
この確認ボタン１３４を押下すると自動取引装置１の情報送受信部２５２は入力した預入期間、預入金額および給与振込日を事前登録情報データベース８に登録する指令の電文を事前登録情報サーバ６へ送信する。この指令の電文を受信した事前登録情報サーバ６は事前登録情報管理部７により事前登録情報データベース８に金融機関コード３２、支店コード３３および口座番号３４の利用者情報３１とともに預入金額３７、預入期間３８および給与振込日１４１を登録する。
【００６６】
なお、利用者は入力した預入後最低残高を訂正する場合は訂正ボタン１３５を押下する。また、定期預金の申し込みの登録を中止する場合は取消ボタン１３６を押下する。
以上の操作を利用者が行なうことで利用者が希望する定期預金の預入金額３７、預入期間３８および給与振込日１４１を事前登録情報データベース８に登録することができる。
次に、事前登録情報データベース８の給与振込日前日の残高１４２を登録する方法を図１５の第２の実施例を示すフローチャートのＳで表すステップにしたがって説明する。
【００６７】
Ｓ１５０１：事前登録情報サーバ６の事前登録情報管理部７は事前登録情報データベース８の利用者情報３１および給与振込日１４１を読取り、その給与振込日の前日になったか否かを判定する。
Ｓ１５０２：その給与振込日の前日になったと判定したとき事前登録情報サーバ６は読取った利用者情報３１をホストコンピュータ３へ送信する。
【００６８】
Ｓ１５０３：ホストコンピュータ３は受信した利用者情報３１に基づいて該利用者の口座残高を抽出し、それを事前登録情報サーバ６へ送信する。
Ｓ１５０４：事前登録情報サーバ６の事前登録情報管理部７は受信した口座残高を事前登録情報データベース８の給与振込日前日の残高１４２に登録する。
このようにして事前登録情報データベース８の給与振込日前日の残高１４２は登録される。
【００６９】
以上説明したように、第２の実施例では、利用者が給与振込日を登録しておくことにより、給与振込日前日の残高が登録した定期預金の預入金額を超える場合は必ず定期預金の申し込みが勧誘され、利用者は定期預金を申し込む機会を逸することがないという効果が得られる。
また、利用者は定期預金の申し込みを行なった後、次回の給与振込日まで定期預金の申し込み表示をしないことを登録しておくことや予め利用者が希望する預入期間および預入金額を登録しておくことにより、利用者の自動取引装置を操作する負担が軽減され、取引時間が短くなるという効果が得られる。
【００７０】
図２１は本発明の第３の実施例を示す事前登録情報データベースの説明図である。なお、上述した第１の実施例および第２の実施例と同様の部分は、同一の符号を付してその説明を省略する。
図２１において、事前登録情報データベース８のレコードは利用者情報３１、事前登録情報３５で構成され、さらに、利用者情報３１は金融機関コード３２、支店コード３３および口座番号３４で構成され、事前登録情報３５は外貨種別２１１、為替レート２１２、預入金額３７および預入期間３８で構成されている。
【００７１】
外貨種別２１１は利用者が定期預金を希望する外貨であって、「アメリカドル」、「オーストラリアドル」、「ユーロ」等の外貨の種別を登録しておくものである。また、為替レート２１２はある為替レートより安くなった場合等に利用者が定期預金の申し込みを希望する場合にその為替レートを登録しておくものである。
第１の実施例と同様に事前登録情報データベース８に登録した利用者情報３１および事前登録情報３５によりホストコンピュータ３が登録した外貨種別２１１および為替レート２１２より現在の為替レートが安いという条件を満足するか否かの判定を行ない、自動取引装置１へその判定の結果を送信する。その判定の結果を受信した自動取引装置１はその判定の結果にしたがって定期預金の申し込み取引を行なう。
【００７２】
なお、ホストコンピュータ３から外貨種別および為替レートを受信して自動取引装置１で登録した外貨種別２１１および為替レート２１２の条件を満足するか否かの判定を行なうようにしてもよい。
以上説明したように、第３の実施例では、利用者が希望する外貨種別および為替レートを登録しておくことにより、希望の為替レートの条件を満たしたときは必ず定期預金の申し込みが勧誘され、利用者は定期預金を申し込む機会を逸することがないという効果が得られる。
【００７３】
また、予め利用者が希望する預入期間および預入金額を登録しておくことにより、利用者の自動取引装置を操作する負担が軽減され、取引時間が短くなるという効果が得られる。
図２２は本発明の第４の実施例を示す事前登録情報データベースの説明図である。なお、上述した第１の実施例、第２の実施例および第３の実施例と同様の部分は、同一の符号を付してその説明を省略する。
【００７４】
図２２において、事前登録情報データベース８のレコードは利用者情報３１、事前登録情報３５で構成され、さらに、利用者情報３１は金融機関コード３２、支店コード３３および口座番号３４で構成され、事前登録情報３５は預金後最低残高３６、預入金額３７および預入期間３８で構成されている。
この事前登録情報３５は預金後最低残高３６、預入金額３７および預入期間３８を一組として複数の預金後最低残高２２１、預入金額２２２および預入期間２２３を登録することができるものである。
【００７５】
第１の実施例と同様に事前登録情報データベース８に登録した利用者情報３１および事前登録情報３５によりホストコンピュータ３の預金可否判定部４は受信した利用者情報３１ならびに事前登録情報３５、および利用者情報３１に基づいて勘定マスタデータベース５を検索して抽出した該利用者の口座残高から利用者が登録した定期預金を申し込む条件に適合しているか否かを判定する。
【００７６】
ホストコンピュータ３は複数ある預金後最低残高２２１、預入金額２２２および預入期間２２３についてそれぞれ判定し、その結果を自動取引装置１へ送信する。
その判定の結果を受信した自動取引装置１は利用者が登録した定期預金を申し込む条件に適合している預入金額２２２および預入期間２２３を利用者操作表示部２１に表示し、それが複数ある場合、利用者は表示された複数の定期預金の申し込みの中から希望する定期預金の申し込みを選択する。また、利用者が登録した定期預金を申し込む条件に適合している預入金額２２２および預入期間２２３の中で最も金利が高いものを利用者操作表示部２１に表示し、利用者に定期預金の申し込みを促すようにしてもよい。この金利は自動取引装置１が業務を開始するときにホストコンピュータ３から取得する。
【００７７】
なお、本実施例ではホストコンピュータ３の預金可否判定部４で受信した利用者情報３１、事前登録情報３５および利用者情報３１に基づいて勘定マスタデータベース５を検索して抽出した該利用者の口座残高から利用者が定期預金を申し込む条件に適合しているか否かを判定するようにしたが、自動取引装置１の情報送受信部２５２がホストコンピュータ３から該利用者の口座残高を受信して、制御部２５が定期預金を申し込む条件に適合しているか否かを判定するようしてもよい。
【００７８】
以上説明したように、第４の実施例では、利用者が希望する複数の預入後最低残高、預入金額および預入期間を登録しておくことにより、利用者にとって最適な定期預金を申し込むことができるという効果が得られる。
また、予め利用者が希望する預入期間および預入金額を登録しておくことにより、利用者の自動取引装置を操作する負担が軽減され、取引時間が短くなるという効果が得られる。
【図面の簡単な説明】
【００７９】
【図１】第１の実施例を示すシステム構成のブロック図
【図２】第１の実施例を示す自動取引装置のブロック図
【図３】第１の実施例を示す事前登録情報データベースの説明図
【図４】第１の実施例を示すフローチャート
【図５】第１の実施例を示す自動取引装置から事前登録情報サーバへ送信される通信情報の説明図
【図６】第１の実施例を示す事前登録情報サーバから自動取引装置へおよび自動取引装置からホストコンピュータへ送信される通信情報の説明図
【図７】第１の実施例を示すホストコンピュータから自動取引装置へ送信される通信情報の説明図
【図８】第１の実施例を示す初期画面の説明図
【図９】第１の実施例を示す定期預金お申し込み確認画面の説明図
【図１０】第１の実施例を示す定期預金お申し込み登録画面の説明図
【図１１】第１の実施例を示す定期預金お申し込み登録画面の説明図
【図１２】第１の実施例を示す定期預金お申し込み登録内容変更画面の説明図
【図１３】第１の実施例を示す定期預金お申し込み登録内容変更画面の説明図
【図１４】第２の実施例を示す事前登録情報データベースの説明図
【図１５】第２の実施例を示すフローチャート
【図１６】第２の実施例を示す事前登録情報サーバから自動取引装置へおよび自動取引装置からホストコンピュータへ送信される通信情報の説明図
【図１７】第２の実施例を示すホストコンピュータから自動取引装置へ送信される通信情報の説明図
【図１８】第２の実施例を示す定期預金お申し込み受付画面の説明図
【図１９】第２の実施例を示す定期預金お申し込み登録画面の説明図
【図２０】第２の実施例を示す定期預金お申し込み登録内容変更画面の説明図
【図２１】第３の実施例を示す事前登録情報データベースの説明図
【図２２】第４の実施例を示す事前登録情報データベースの説明図
【符号の説明】
【００８０】
１    自動取引装置
２    ネットワーク
３    ホストコンピュータ
４    預金可否判定部
５    勘定マスタデータベース
６    事前登録情報サーバ
７    事前登録情報管理部
８    事前登録情報データベース
２１  利用者操作表示部
２２  カードリーダプリンタ部
２３  入出金部
２４  通帳部
２５  制御部
２５１  記憶部
２５２  情報送受信部
２５３  事前登録情報入力処理部
３１  利用者情報
３２、５４  金融機関コード
３３、５５  支店コード
３４、５６  口座番号
３５  事前登録情報
３６、６１、２２１  預金後最低残高
３７、６２、２２２  預入金額
３８、６３，２２３  預入期間
５１  ヘッダ
５２  取引種別
５３  取引金額
５７  フッタ
７１、１７１  判定結果
８０  取引選択画面
９０  定期預金お申し込み確認画面
１００、１１０、１９０  定期預金お申し込み登録画面
１２０、１３０、２００  定期預金お申し込み登録内容変更画面
１４１、１６１  給与振込日
１４２、１６２  給与振込日前日の残高
１８０  定期預金お申し込み受付画面
２１１  外貨種別
２１２  為替レート
【図１】
2006163467.tif 000003
【図２】
2006163467.tif 000004
【図３】
2006163467.tif 000005
【図４】
2006163467.tif 000006
【図５】
2006163467.tif 000007
【図６】
2006163467.tif 000008
【図７】
2006163467.tif 000009
【図８】
2006163467.tif 000010
【図９】
2006163467.tif 000011
【図１０】
2006163467.tif 000012
【図１１】
2006163467.tif 000013
【図１２】
2006163467.tif 000014
【図１３】
2006163467.tif 000015
【図１４】
2006163467.tif 000016
【図１５】
2006163467.tif 000017
【図１６】
2006163467.tif 000018
【図１７】
2006163467.tif 000019
【図１８】
2006163467.tif 000020
【図１９】
2006163467.tif 000021
【図２０】
2006163467.tif 000022
【図２１】
2006163467.tif 000023
【図２２】
2006163467.tif 000024